(57)【要約】 【課題】屋外側に面格子を設置する際も有効換気面積を十分に確保する。【解決手段】本発明に係る下部ガイド機構５ａは、開口枠３を構成する下枠部材１０ａの上面にほぼ鉛直に突設された枠側ガイド機構６ａと、窓本体４の下方窓枠部材１１ａに下方に向けて突設されラック２１ａが形成されたガイドレール７ａと、窓本体４の後尾側において下方窓枠部材１１ａから下方に向けてほぼ鉛直に突設されたガイドピン８ａと、下枠部材１０ａに設けられガイドピン８ａが挿入されるガイド溝９ａが形成されたガイドプレート１２ａとからなり、枠側ガイド機構６ａは、ガイドレール７ａの室内側に形成されたラック２１ａに噛合するピニオン２２ａと、ガイドレール７ａの屋外側に当接することで該ガイドレールをピニオン２２ａとの間に挟み込むガイドローラ２３ａと、ピニオン２２ａを回転させるハンドル２６ａとを備える。【選択図】  図１
2013028961.tif 000002
【特許請求の範囲】
【請求項１】
窓本体を該窓本体の鉛直荷重が支持されるように建物の窓開口に設置された開口枠に取り付けてなる開閉窓において、
前記窓本体の前記開口枠への収容位置における該窓本体の先頭側に対応するように前記開口枠を構成する下枠部材の上面又は上枠部材の下面にほぼ鉛直に突設された第１の枠側ガイド機構と、前記窓本体の下方窓枠部材又は上方窓枠部材に設けられ前記第１の枠側ガイド機構に挟み込まれるガイドレールで構成され又は前記第１の枠側ガイド機構が挿入されるガイド溝が形成された第１の窓側ガイド機構と、前記窓本体の後尾側であって前記下方窓枠部材から下方に向けて又は前記上方窓枠部材から上方に向けてほぼ鉛直に突設された第２の窓側ガイド機構と、前記下枠部材又は前記上枠部材に設けられ前記第２の窓側ガイド機構が挿入されるガイド溝が形成された第２の枠側ガイド機構とからなるガイド機構を備えるとともに、該ガイド機構を、前記窓本体の先頭側が前記収容位置から屋外側に前進することで前記窓本体が前記建物の外壁に対し斜め配置となり、該斜め配置状態を保ちつつ横行して前記開口枠から退避された開放位置まで前記窓本体が移動するように構成したことを特徴とする開閉窓。
【請求項２】
前記窓本体を斜め横行動作させる際、該斜め横行動作に連動して前記窓本体の後尾側が屋外側に前進するように前記第２の枠側ガイド機構を構成した請求項１記載の開閉窓。
【請求項３】
前記窓本体を斜め横行動作させた後、前記窓本体の後尾側が屋外側に前進して該窓本体が屋外側で前記外壁に対しほぼ平行になるとともに該平行配置状態を保ちつつさらに横行してから前記開放位置に至るように前記ガイド機構を構成した請求項１又は請求項２記載の開閉窓。
【請求項４】
前記第１の窓側ガイド機構をガイドレールで構成するとともに、前記第１の枠側ガイド機構を、前記ガイドレールが挟み込まれるようになっており一方が他方の回転軸の廻りに揺動自在に構成された２つのガイドローラで構成した請求項１記載の開閉窓。
【請求項５】
前記第１の窓側ガイド機構を室内側に直線歯車が設けられたガイドレールで構成するとともに、前記第１の枠側ガイド機構を、前記直線歯車に噛合する歯車と、前記ガイドレールの屋外側に当接することで該ガイドレールを前記歯車との間に挟み込むとともに前記歯車の回転軸の廻りに揺動自在に構成されたガイドローラと、前記歯車を回転させるハンドルとで構成した請求項１記載の開閉窓。
【請求項６】
前記第１の窓側ガイド機構をガイドレールで構成するとともに該ガイドレールが前記窓本体の後尾側において前記下方窓枠部材又は前記上方窓枠部材の室内面から水平方向に突出するように該ガイドレールを構成し、前記第２の窓側ガイド機構を、前記下方窓枠部材又は前記上方窓枠部材から室内側に延びるブラケットとその先端に取り付けられたガイドピンとで構成した請求項１記載の開閉窓。
【請求項７】
前記第２の窓側ガイド機構を前記下方窓枠部材及び前記上方窓枠部材にそれぞれ設けるとともに、前記第２の枠側ガイド機構を前記下枠部材及び前記上枠部材にそれぞれ設け、該各第２の枠側ガイド機構をガイド溝で構成するとともに、前記各第２の窓側ガイド機構を、前記ガイド溝に挿入され前記窓本体からの荷重を前記下枠部材及び前記上枠部材にそれぞれ伝達可能なガイドピンでそれぞれ構成した請求項１記載の開閉窓。
【発明の詳細な説明】
【技術分野】
【０００１】
本発明は、主として住宅に適用される開閉窓に関する。
【背景技術】
【０００２】
住宅で用いられている窓としては、開閉構造の違いで分類すると、窓本体が開口枠に嵌め込まれたＦＩＸ窓を含め、引違い窓、片引き窓、開き窓、滑り出し窓などが知られている。
【０００３】
これらのうち、引違い窓は、２つの窓本体をそれぞれ独立して水平移動自在となるように開口枠に取り付けられてなるものであり、２つの窓本体のうち、一方の窓本体が開口枠に固定され他方の窓本体だけが水平移動自在に開口枠に取り付けられてなる片引き窓を含め、掃き出し窓や腰高窓の開閉構造として広く採用されている。
【０００４】
また、開き窓は、窓本体が側方縁部近傍で鉛直軸線廻りに回動自在となるように又は上方縁部近傍で水平軸線廻りに回動自在となるように窓本体を開口枠に取り付けてあるのに対し、滑り出し窓は、窓本体の回転動作に連動して該窓本体の回転軸が鉛直又は水平に並進移動するようにリンク機構を介して開口枠に取り付けてあり、窓本体を開口枠に直接取り付けるのではないという点で開き窓とは異なる。
【０００５】
このように住宅用の窓にはさまざまな開閉構造形式が存在し、通風や採光といった目的の相違、それらに起因した窓開口面積の相違、あるいは窓開口の室内側高さの相違などに応じて、適宜使い分けがなされている。
【０００６】
例えば、窓開口が十分大きい場合には、居室の床面積に対して定められた有効換気面積を確保しやすいため、構造形式がシンプルな引違い窓や片引き窓が採用されやすい。
【０００７】
一方、窓開口があまり大きくない場合、引違い窓や片引き窓では換気に有効な窓面積が半分とみなされるため、有効換気面積の確保が難しいことがある。
【０００８】
このような場合には、窓開口の全部を有効換気面積として算入可能な開き窓や滑り出し窓を採用することで、有効換気面積を確保することができる。
【先行技術文献】
【特許文献】
【０００９】
【特許文献１】特許第２８４４２７８号公報
【発明の概要】
【発明が解決しようとする課題】
【００１０】
ここで、住宅の場合、特に一階に設けられる窓には、ステンレス等で形成された面格子を屋外側に設置することで防犯性を高めることが望ましい。
【００１１】
しかしながら、開き窓や滑り出し窓は、窓本体が屋外側にせり出すようになっているため、窓本体が面格子と干渉して十分に開くことができず、採用が難しいという問題を生じていた。
【００１２】
一方、引違い窓や片引き窓では、上述したように換気に有効な窓面積が半分とみなされるため、有効換気面積を確保できない場合があるという別の問題を生じる。
【課題を解決するための手段】
【００１３】
本発明は、上述した事情を考慮してなされたもので、屋外側に面格子を設置する場合であっても、有効換気面積を十分に確保することが可能な開閉窓を提供することを目的とする。
【００１４】
上記目的を達成するため、本発明に係る開閉窓は請求項１に記載したように、窓本体を該窓本体の鉛直荷重が支持されるように建物の窓開口に設置された開口枠に取り付けてなる開閉窓において、
前記窓本体の前記開口枠への収容位置における該窓本体の先頭側に対応するように前記開口枠を構成する下枠部材の上面又は上枠部材の下面にほぼ鉛直に突設された第１の枠側ガイド機構と、前記窓本体の下方窓枠部材又は上方窓枠部材に設けられ前記第１の枠側ガイド機構に挟み込まれるガイドレールで構成され又は前記第１の枠側ガイド機構が挿入されるガイド溝が形成された第１の窓側ガイド機構と、前記窓本体の後尾側であって前記下方窓枠部材から下方に向けて又は前記上方窓枠部材から上方に向けてほぼ鉛直に突設された第２の窓側ガイド機構と、前記下枠部材又は前記上枠部材に設けられ前記第２の窓側ガイド機構が挿入されるガイド溝が形成された第２の枠側ガイド機構とからなるガイド機構を備えるとともに、該ガイド機構を、前記窓本体の先頭側が前記収容位置から屋外側に前進することで前記窓本体が前記建物の外壁に対し斜め配置となり、該斜め配置状態を保ちつつ横行して前記開口枠から退避された開放位置まで前記窓本体が移動するように構成したものである。
【００１５】
また、本発明に係る開閉窓は、前記窓本体を斜め横行動作させる際、該斜め横行動作に連動して前記窓本体の後尾側が屋外側に前進するように前記第２の枠側ガイド機構を構成したものである。
【００１６】
また、本発明に係る開閉窓は、前記窓本体を斜め横行動作させた後、前記窓本体の後尾側が屋外側に前進して該窓本体が屋外側で前記外壁に対しほぼ平行になるとともに該平行配置状態を保ちつつさらに横行してから前記開放位置に至るように前記ガイド機構を構成したものである。
【００１７】
また、本発明に係る開閉窓は、前記第１の窓側ガイド機構をガイドレールで構成するとともに、前記第１の枠側ガイド機構を、前記ガイドレールが挟み込まれるようになっており一方が他方の回転軸の廻りに揺動自在に構成された２つのガイドローラで構成したものである。
【００１８】
また、本発明に係る開閉窓は、前記第１の窓側ガイド機構を室内側に直線歯車が設けられたガイドレールで構成するとともに、前記第１の枠側ガイド機構を、前記直線歯車に噛合する歯車と、前記ガイドレールの屋外側に当接することで該ガイドレールを前記歯車との間に挟み込むとともに前記歯車の回転軸の廻りに揺動自在に構成されたガイドローラと、前記歯車を回転させるハンドルとで構成したものである。
【００１９】
また、本発明に係る開閉窓は、前記第１の窓側ガイド機構をガイドレールで構成するとともに該ガイドレールが前記窓本体の後尾側において前記下方窓枠部材又は前記上方窓枠部材の室内面から水平方向に突出するように該ガイドレールを構成し、前記第２の窓側ガイド機構を、前記下方窓枠部材又は前記上方窓枠部材から室内側に延びるブラケットとその先端に取り付けられたガイドピンとで構成したものである。
【００２０】
また、本発明に係る開閉窓は、前記第２の窓側ガイド機構を前記下方窓枠部材及び前記上方窓枠部材にそれぞれ設けるとともに、前記第２の枠側ガイド機構を前記下枠部材及び前記上枠部材にそれぞれ設け、該各第２の枠側ガイド機構をガイド溝で構成するとともに、前記各第２の窓側ガイド機構を、前記ガイド溝に挿入され前記窓本体からの荷重を前記下枠部材及び前記上枠部材にそれぞれ伝達可能なガイドピンでそれぞれ構成したものである。
【００２１】
本発明に係る開閉窓に備えられたガイド機構においては、窓本体の収容位置における該窓本体の先頭側に対応するように第１の枠側ガイド機構を下枠部材の上面又は上枠部材の下面にほぼ鉛直に突設し、該第１の枠側ガイド機構に挟み込まれるガイドレールで構成され又は第１の枠側ガイド機構が挿入されるガイド溝が形成された第１の窓側ガイド機構を、窓本体の下方窓枠部材又は上方窓枠部材に設けてあるとともに、窓本体の後尾側であって下方窓枠部材から下方に向けて又は上方窓枠部材から上方に向けて第２の窓側ガイド機構をほぼ鉛直に突設し、第２の窓側ガイド機構が挿入されるガイド溝が形成された第２の枠側ガイド機構を下枠部材又は上枠部材に設けてある。
【００２２】
このようにすると、第１の枠側ガイド機構は、第１の窓側ガイド機構を構成するガイドレールや該第１の窓側ガイド機構に形成されたガイド溝の形状に応じて、窓本体の動きをその先頭に近い側で案内するとともに、第２の枠側ガイド機構は、該第２の枠側ガイド機構に形成されたガイド溝の形状に応じて、窓本体の動きをその後尾側で案内する。
【００２３】
そして、本発明のガイド機構は、窓本体の先頭側が収容位置から屋外側に前進することで窓本体が建物の外壁に対し斜め配置となり、該斜め配置状態を保ちつつ横行して開口枠から退避された開放位置まで窓本体が移動するように構成してある。
【００２４】
そのため、窓本体に水平面内の力を適宜加えることにより、従来の引違い窓や開き窓あるいは滑り出し窓とは全く異なる開閉メカニズムで、窓本体を開口枠に収められた収容位置と開口枠から退避された開放位置との間で確実に移動させることが可能となる。
【００２５】
開放位置とは、開口枠の内側空間が完全に露出される状態だけを意味するものではなく、窓本体の一部が開口枠の内側空間に重なることで該内部空間を部分的に塞ぐ状態も包摂される。
【００２６】
但し、本発明においては、窓本体によって開口枠の内側空間が覆われない比率（開口枠の面積から窓本体で覆われた部分の面積を差し引き、これを開口枠の面積で除した比率。以下、本明細書では有効窓面積比と呼ぶ）が１／２を上回るように構成するのが望ましい。１／２以下とすると、換気性能の面で、引違い窓と同等かそれ以下となるからである。
【００２７】
窓本体を斜め横行動作させるにあたり、第２の枠側ガイド機構を単に建物の外壁に平行な方向に沿った案内機構とすると、窓本体の斜め角度が徐々に急勾配となり、それに伴って外壁面からの窓本体の突出距離が大きくなって面格子との干渉が懸念されるが、窓本体を斜め横行動作させる際、該斜め横行動作に連動して窓本体の後尾側が屋外側に前進するように第２の枠側ガイド機構を構成したならば、外壁面からの窓本体の最大突出距離が短くなり、面格子との干渉を未然に回避することが可能となる。
【００２８】
窓本体を移動させるにあたり、斜め配置状態での横行動作で終了するようにしてもよいが、かかる場合には、比較的早い段階で窓本体が開口枠と干渉するため、有効窓面積比を高めるにも限度がある。
【００２９】
そのため、窓本体を斜め横行動作させた後、窓本体の後尾側が屋外側に前進して該窓本体が屋外側で外壁に対しほぼ平行になるとともに該平行配置状態を保ちつつさらに横行してから開放位置に至るようにガイド機構を構成するのが望ましい。
【００３０】
かかる構成によれば、窓本体を開口枠から退避させやすくなるため、有効窓面積比を高めることが可能となる。
【００３１】
第１の枠側ガイド機構は、第１の窓側ガイド機構に形成されたガイド溝の形状や該第１の窓側ガイド機構を構成するガイドレールの形状に応じて、窓本体の動きをその先頭に近い側で案内するようになっている限り、その構成は任意であって、第１の窓側ガイド機構がガイドレールで構成されている場合には、該ガイドレールを挟み込むように構成することが可能であり、第１の窓側ガイド機構にガイド溝が形成されている場合には、そのガイド溝に挿入されるガイドピンで構成することが可能である。
【００３２】
具体的には、前記第１の窓側ガイド機構をガイドレールで構成するとともに、前記第１の枠側ガイド機構を、前記ガイドレールが挟み込まれるようになっており一方が他方の回転軸の廻りに揺動自在に構成された２つのガイドローラで構成することが可能である。
【００３３】
第２の窓側ガイド機構は例えばガイドピンで構成することができる。
【００３４】
第１の窓側ガイド機構や第２の窓側ガイド機構は、窓本体を構成する下方窓枠部材又は上方窓枠部材の厚み寸法に収める必要はなく、必要に応じて下方窓枠部材又は上方窓枠部材の厚みを越えて設けることが可能であり、例えば、前記第１の窓側ガイド機構をガイドレールで構成するとともに該ガイドレールが前記窓本体の後尾側において前記下方窓枠部材又は前記上方窓枠部材の室内面から水平方向に突出するように該ガイドレールを構成し、前記第２の窓側ガイド機構を、前記下方窓枠部材又は前記上方窓枠部材から室内側に延びるブラケットとその先端に取り付けられたガイドピンとで構成することができる。
【００３５】
かかる構成によれば、窓本体を開口枠から退避させやすくなるため、有効窓面積比を高めることが可能となる。
【００３６】
窓本体の鉛直荷重を支持する構造は任意であるが、例えば前記第２の窓側ガイド機構を前記下方窓枠部材及び前記上方窓枠部材にそれぞれ設けるとともに、前記第２の枠側ガイド機構を前記下枠部材及び前記上枠部材にそれぞれ設け、該各第２の枠側ガイド機構をガイド溝で構成するとともに、前記各第２の窓側ガイド機構を、前記ガイド溝に挿入され前記窓本体からの荷重を前記下枠部材及び前記上枠部材にそれぞれ伝達可能なガイドピンでそれぞれ構成するようにすれば、窓本体の鉛直荷重を開口枠に支持させることができる。
【００３７】
窓本体の移動は、窓本体を直接手で押し引きすることで行ってもかまわないが、前記第１の窓側ガイド機構を室内側に直線歯車が設けられたガイドレールで構成するとともに、前記第１の枠側ガイド機構を、前記直線歯車に噛合する歯車と、前記ガイドレールの屋外側に当接することで該ガイドレールを前記歯車との間に挟み込むとともに前記歯車の回転軸の廻りに揺動自在に構成されたガイドローラと、前記歯車を回転させるハンドルとで構成したならば、建物外壁に平行な横行動作と垂直な前進動作が混在する移動経路であっても、ハンドル操作だけで窓本体をスムーズに移動させることが可能となる。
【図面の簡単な説明】
【００３８】
【図１】本実施形態に係る開閉窓１の図であり、(a)は室内側から見た正面図、(b)はＡ−Ａ線に沿った水平断面図。
【図２】開閉窓１のガイド機構５を構成する下部ガイド機構５ａの全体斜視図。
【図３】枠側ガイド機構６ａの作用を示した図。
【図４】窓本体４の動きを示した図であって、(a)は窓本体４が開口枠３に収まっている収容位置を示した図、(b)は窓本体４が建物外壁に対して斜めに傾斜した状態を示した図。
【図５】引き続き窓本体４の動きを示した図であって、(a)は窓本体４の先頭側が前進方向から斜め横行方向へと移動方向を転じた様子を示した図、(b)は窓本体４が傾斜角度をほぼ維持したままかつ全体が徐々に前進しつつ、建物外壁に対して平行に横行する様子を示した図。
【図６】引き続き窓本体４の動きを示した図であって、(a)はピニオン２２ａがラック２１ａの変曲部２９と噛合するとともにガイドピン８ａが溝部３２に案内される位置まで窓本体４が移動した様子を示した図、(b)は、窓本体４が建物外壁に対して平行な角度へと移行した様子を示した図、(c)は窓本体４が開放位置まで移動した様子を示した図。
【図７】変形例に係る下部ガイド機構７４ａの全体斜視図。
【発明を実施するための形態】
【００３９】
以下、本発明に係る開閉窓の実施の形態について、添付図面を参照して説明する。
【００４０】
図１は、本実施形態に係る開閉窓１を示した正面図及び水平断面図、図２は、開閉窓１のガイド機構５のうち、下部ガイド機構５ａを示した全体斜視図である。これらの図でわかるように、本実施形態に係る開閉窓１は、建物の窓開口２に設置された開口枠３に窓本体４を取り付けるとともに、該窓本体の移動を案内する下部ガイド機構５ａ及び上部ガイド機構５ｂからなるガイド機構５を備える。
【００４１】
下部ガイド機構５ａは、窓本体４の開口枠３への収容位置における該窓本体の先頭側（図１では右側）に対応する位置において該開口枠を構成する下枠部材１０ａの上面にほぼ鉛直に突設された第１の枠側ガイド機構としての枠側ガイド機構６ａと、窓本体４の下方窓枠部材１１ａに下方に向けて突設され直線歯車であるラック２１ａが形成された第１の窓側ガイド機構としてのガイドレール７ａと、窓本体４の後尾側において下方窓枠部材１１ａから下方に向けてほぼ鉛直に突設された第２の窓側ガイド機構としてのガイドピン８ａと、下枠部材１０ａに設けられガイドピン８ａが挿入されるガイド溝９ａが形成された第２の枠側ガイド機構としてのガイドプレート１２ａとからなる。
【００４２】
枠側ガイド機構６ａは、ガイドレール７ａの室内側に形成されたラック２１ａに噛合する歯車としてのピニオン２２ａと、ガイドレール７ａの屋外側に当接することで該ガイドレールをピニオン２２ａとの間に挟み込むガイドローラ２３ａと、ピニオン２２ａに噛合するギア２４ａと、該ギアに噛合するギア２５ａと、該ギアに取り付けられたハンドル２６ａとで構成してあり、ハンドル２６ａを回すことで回転力をピニオン２２ａに伝達するとともに、その回転力を直線方向の力としてラック２１ａに伝達できるようになっている。
【００４３】
ガイドローラ２３ａは図３(a)に示すように、ピニオン２２ａの回転軸の廻りに９０゜の範囲で揺動できるように構成してあり、同図(b)〜(d)でわかる通り、ピニオン２２ａとの間に挟み込まれるガイドレール７ａの噛合位置の変化に追従できるようになっている。
【００４４】
ガイドレール７ａは、窓本体４の先頭側に位置する下方窓枠部材１１ａに一端が垂直に接続され他端近傍が窓本体４と平行になるように中間位置で湾曲形成された湾曲部２７と、該湾曲部の反対側から窓本体４と平行に延びる直線部２８と、該直線部の反対側から延びる変曲部２９と、該変曲部の反対側から窓本体４と平行に延びる延びる拡幅部３５とからなり、変曲部２９は、直線部２８と該直線部よりも室内側に突出された拡幅部３５とを滑らかにつなぐことができるよう変曲点を有しているとともに、拡幅部３５は、その反対側端部を、窓本体４の後尾から室内側に延びるブラケット３１ａの先端に接続してあり、これら湾曲部２７、直線部２８、変曲部２９及び拡幅部３５の屋内側側面にラック２１ａを連続形成してある。
【００４５】
ここで、ブラケット３１ａは、上述したようにガイドレール７ａをその後端で窓本体４に固定する役目を果たすのみならず、先端に立設されたガイドピン８ａとともに、第２の窓側ガイド機構として窓本体４の後尾側がガイド溝９ａに案内される被案内手段として機能し、さらにガイドピン８ａを窓本体４から室内側に離間した位置に配置する役目も果たす。
【００４６】
ガイドプレート１２ａに形成されたガイド溝９ａは、ガイドレール７ａの湾曲部２７が枠側ガイド機構６ａに案内されるとき、ガイドピン８ａを建物の外壁に対してほぼ平行に案内することにより、窓本体４を開口枠３に収められた収容位置からその先頭側が前進し建物の外壁に対し斜めに配置される状態に移動させるようになっている溝部３０と、ガイドレール７ａの直線部２８が枠側ガイド機構６ａに案内されるとき、ガイドピン８ａを徐々に前進方向に案内することにより、窓本体４を斜め配置のままかつその斜め角度を概ね保持しつつ、該窓本体を横行させるようになっている溝部３１と、ガイドレール７ａの変曲部２９が枠側ガイド機構６ａに案内されるとき、ガイドピン８ａを前進方向に案内することにより、窓本体４を建物の外壁に対して平行になるまで回転させるようになっている溝部３２と、ガイドレール７ａの拡幅部３５が枠側ガイド機構６ａに案内されるとき、ガイドピン８ａを建物の外壁に対して平行に案内することにより、窓本体４をその開放位置まで横行させるようになっている溝部３３とからなる。
【００４７】
ガイドピン８ａは、その先端部分をガイド溝９ａに挿入自在に構成するとともに、先端から離れた箇所に設けた鍔状台座３４をガイドプレート１２ａの上に摺動自在に載せることで、ガイド溝９ａによる案内機能と窓本体４の支持機能とを併せ持たせる。
【００４８】
一方、上部ガイド機構５ｂは、窓本体４の開口枠３への収容位置における該窓本体の先頭側（図１では右側）に対応する位置において該開口枠を構成する上枠部材１０ｂの下面にほぼ鉛直に突設された第１の枠側ガイド機構としての枠側ガイド機構６ｂと、窓本体４の上方窓枠部材１１ｂに上方に向けて突設され直線歯車であるラック２１ｂが形成された第１の窓側ガイド機構としてのガイドレール７ｂと、窓本体４の後尾側において上方窓枠部材１１ｂから上方に向けてほぼ鉛直に突設された第２の窓側ガイド機構としてのガイドピン８ｂと、上枠部材１０ｂに設けられガイドピン８ｂが挿入されるガイド溝９ｂが形成された第２の枠側ガイド機構としてのガイドプレート１２ｂとからなる。
【００４９】
以下、上部ガイド機構５ｂは、下部ガイド機構５ａと水平面に対して対称な構造である点を除き、下部ガイド機構５ａと同一の構造であるので、下部ガイド機構５ａに関する説明のうち、添字ａを添字ｂと読み替えることで、その説明を省略する。
【００５０】
なお、ガイドピン８ａ，８ｂは、上述したように主としてガイドピン８ａに設けた鍔状台座３４によって窓本体４の鉛直荷重をガイドプレート１２ａに伝達するようになっているが、ガイドピン８ａ，８ｂにそれぞれ設けた鍔状台座３４，３４の外径を適宜調整することにより、窓本体４の重心がガイドピン８ａ，８ｂの設置ラインからずれることに起因する窓本体４の回転を未然に防止することができる。
【００５１】
図４乃至図６は、枠側ガイド機構６ａ，６ｂのピニオン２２ａ，２２ｂをハンドル２６ａ，２６ｂを回すことでそれぞれ回転させたとき、開口枠３に収まっている収容位置（図４(a)）から開口枠３から退避された開放位置（図６(c)）に至るまでの窓本体４の動きを示したものである。これらの図でわかるように、窓本体４が開口枠３に収まっている収容位置（図４(a)）においては、ガイドローラ２３ａとピニオン２２ａとが建物外壁に平行に配置された状態でガイドレール７ａの湾曲部２７を挟み込んでいるとともに、ガイドピン８ａは、ガイド溝９ａの溝部３０に挿入されている。以下、下部ガイド機構５ａについてのみ説明を行い、上部ガイド機構５ｂについては、添字ａを添字ｂと読み替えることでその説明を省略する。
【００５２】
上述した状態で枠側ガイド機構６ａ，６ｂのハンドル２６ａ，２６ｂを回すと、ガイドレール７ａのうち、湾曲部２７のうち、窓本体４に垂直な直線部分に設けられたラック２１ａがピニオン２２ａから直動方向の力を受け、窓本体４の先頭側は、建物外壁にほぼ直交する方向に前進する。
【００５３】
ここで、窓本体４の後尾側は、ガイド溝９ａの溝部３０によって建物外壁にほぼ平行な方向に動きが拘束されるため、窓本体４は、建物外壁に対して斜めに傾斜した状態となる（図４(b)）。
【００５４】
ハンドル２６ａ，２６ｂを回すにあたっては、例えば左手でハンドル２６ａを、右手でハンドル２６ｂをそれぞれ操作するようにしてもよいが、例えば、ハンドル２６ａ，２６ｂのそれぞれに各端が着脱自在に構成された伸縮自在な操作ロッドを別途用意し、該操作ロッドをその一端がハンドル２６ａに取り付けられ、他端がハンドル２６ｂに取り付けられるように開口枠３に対してほぼ鉛直に配置し、かかる状態で操作ロッドを鉛直軸線廻りに回転させるようにすれば、ハンドル２６ａ，２６ｂを片手で操作することができる。
【００５５】
引き続き、ハンドル２６ａ，２６ｂを回転させると、ピニオン２２ａは、湾曲部２７の湾曲部分を経て、直線部２８と噛合するとともに、それに伴い、窓本体４の先頭側は、前進方向から斜め横行方向へと移動方向を転じる（図５(a)）。
【００５６】
一方、窓本体４の後尾側においては、ガイドピン８ａがガイド溝９ａの溝部３１によって徐々に前進方向へと案内されるため、窓本体４は、図５(a)の傾斜角度をほぼ維持したままかつ全体が徐々に前進しつつ、建物外壁に対して平行に横行する（図５(b)）。
【００５７】
ここで、ガイドローラ２３ａは、ピニオン２２ａに対して揺動自在に構成してあるため、噛合するガイドレール７ａの対称部位が湾曲部２７から直線部２８へと代わることによってガイドレール７ａを挟み込むための角度が変化しても、ガイドローラ２３ａは、この角度変化に追従してピニオン２２ａの廻りを揺動し、ガイドレール７ａを確実に挟み込む。
【００５８】
そのため、ピニオン２２ａがラック２１ａから外れる事態が未然に防止され、両者の噛合状態は確実に維持される。
【００５９】
引き続き、ハンドル２６ａ，２６ｂを回転させると、ピニオン２２ａが直線部２８と噛合することによって、窓本体４が傾斜角度をほぼ維持したままかつ全体が徐々に前進しつつ、建物外壁に対して平行に横行するが、ピニオン２２ａがラック２１ａの変曲部２９と噛合するとともにガイドピン８ａが溝部３２に案内される位置までくると（図６(a)）、その後は、変曲部２９及び溝部３２のガイド作用により、窓本体４は、建物外壁に対して平行な角度へと徐々に移行する（図６(b)）。
【００６０】
そして、さらにハンドル２６ａ，２６ｂを回転させると、ピニオン２２ａがラック２１ａの拡幅部３５と噛合するとともに、ガイドピン８ａが溝部３３に案内されるため、窓本体４は、建物外壁に対して平行に横行し、開放位置に至る（図６(c)）。
【００６１】
以上説明したように、本実施形態に係る開閉窓１によれば、枠側ガイド機構６ａにより、ガイドレール７ａの形状に応じて窓本体４の動きがその先頭に近い側で案内され、ガイドプレート１２ａにより、それに形成されたガイド溝９ａの形状に応じて、窓本体４の動きがその後尾側で案内されるように下部ガイド機構５ａを構成するとともに、該ガイド機構を、窓本体４の先頭側が収容位置から屋外側に前進することで窓本体４が建物の外壁に対し斜め配置となり、該斜め配置状態を保ちつつ横行して開口枠３から退避された開放位置まで窓本体４が移動するように構成したので、ハンドル２６ａ，２６ｂを操作することで、従来の引違い窓や開き窓あるいは滑り出し窓とは全く異なる開閉メカニズムで、窓本体４を開口枠３に収められた収容位置と開口枠３から退避された開放位置との間で確実に移動させることが可能となる。
【００６２】
また、本実施形態に係る開閉窓１によれば、窓本体４を斜め横行動作させる際、該斜め横行動作に連動して窓本体４の後尾側が屋外側に前進するよう、ガイドピン８ａを徐々に前進方向に案内する溝部３１をガイド溝９ａに含めるようにしたので、外壁面からの窓本体４の最大突出距離が短くなり、面格子との干渉を未然に回避することが可能となる。
【００６３】
また、本実施形態に係る開閉窓１によれば、窓本体４を斜め横行動作させた後、窓本体４の後尾側が屋外側に前進して該窓本体が屋外側で外壁に対しほぼ平行になるとともに該平行配置状態を保ちつつさらに横行してから開放位置に至るようにガイド機構５を構成したので、窓本体４を開口枠３から退避させやすくなり、有効窓面積比を高めることが可能となる。
【００６４】
また、本実施形態に係る開閉窓１によれば、ガイドレール７ａの室内側にラック２１ａを設けるとともに、ラック２１ａに噛合するピニオン２２ａと、ガイドレール７ａの屋外側に当接することで該ガイドレールをピニオン２２ａとの間に挟み込むガイドローラ２３ａとを枠側ガイド機構６ａに備えるようにしたので、ハンドル２６ａを回すだけで、ピニオン２２ａを回転させて窓本体４をスムーズに移動させることが可能となり、建物外壁に平行な横行動作と垂直な前進動作とが混在した移動経路であっても、開閉窓１を容易に開閉することが可能となる。
【００６５】
また、ガイドローラ２３ａとピニオン２２ａとの間にガイドレール７ａを挟み込むようにしたので、ピニオン２２ａは、ラック２１ａに常に押し付けられることとなり、直線部分はもちろん曲線部分であっても、ラック２１ａへの噛合が外れるおそれはない。
【００６６】
そのため、窓本体４の動作が建物外壁に平行な横行動作と垂直な前進動作を含むものであっても、開口枠３からの窓本体４の送出しあるいは開口枠３への窓本体４引込みを確実に行うことが可能となる。
【００６７】
また、本実施形態に係る開閉窓１によれば、窓本体４の後尾側において下方窓枠部材１１ａの室内面から水平方向に突出する拡幅部３５をガイドレール７ａに設けるとともに、ブラケット３１ａ及びその先端に取り付けられたガイドピン８ａで本発明に係る第２の窓側ガイド機構を構成するようにしたので、図６に示したように窓本体４を屋外側にかつ建物外壁と平行に前進させることが可能となり、かくして窓本体４を開口枠３から大きく退避させることが可能となる。
【００６８】
なお、上部ガイド機構５ｂについても、上述した下部ガイド機構５ａと同様の作用効果を奏するが、ここではその説明を省略する。
【００６９】
また、本実施形態に係る開閉窓１によれば、ガイドピン８ａ，８ｂを下方窓枠部材１１ａ及び上方窓枠部材１１ｂにそれぞれ設け、該ガイドピンの先端が挿入されるガイド溝９ａ，９ｂが形成されたガイドプレート１２ａ，１２ｂを下枠部材１０ａ，１０ｂにそれぞれ設けるようにしたので、ガイド溝９ａによって案内される被案内機能と窓本体４の支持機能とをガイドピン８ａ，８ｂに併せ持たせることができるとともに、窓本体４の重心がガイドピン８ａ，８ｂの設置ラインからずれることに起因する窓本体４の回転を未然に防止することも可能となる。
【００７０】
本実施形態では、第１の枠側ガイド機構を、ラック２１ａ，２１ｂに噛合するピニオン２２ａ，２２ｂと、ガイドレール７ａ，７ｂの屋外側に当接することで該ガイドレールをピニオン２２ａ，２２ｂとの間に挟み込むガイドローラ２３ａ，２３ｂと、ピニオン２２ａ，２２ｂに噛合するギア２４ａ，２４ｂと、該ギアに噛合するギア２５ａ，２５ｂと、該ギアに取り付けられたハンドル２６ａ，２６ｂとで構成したが、ハンドル２６ａ，２６ｂに代えて、電動モータを下枠部材１０ａと上枠部材１０ｂにそれぞれ備えるとともに、各電動モータの回転軸をギア２５ａ，２５ｂにそれぞれ連結するようにしてもかまわない。
【００７１】
また、本実施形態及びその変形例では、ガイドレール７ａ，７ｂにラック２１ａ，２１ｂを設けるとともに該ラックに噛合するピニオン２２ａ，２２ｂを設け、該ピニオンを手動又は電動で回転操作するようにしたが、本発明に係る第１の枠側ガイド機構は、案内作用だけで足りるものであって、手動又は電動による送出し作用あるいは引込み作用を省略するようにしてもかまわない。
【００７２】
図７は、かかる変形例を示したものであって、ガイドレール７ａ，７ｂに代えて、ラック２１ａ，２１ｂが省略されたガイドレール７１ａ，７１ｂを下方窓枠部材１１ａと上方窓枠部材１１ｂにそれぞれ設けるとともに、ガイドレール７１ａの室内側に当接するガイドローラ７２ａと、屋外側に当接することで該ガイドレールをガイドローラ７２ａとの間に挟み込むガイドローラ７３ａとからなる枠側ガイド機構７４ａや、ガイドレール７１ｂの室内側に当接するガイドローラ７２ｂと、屋外側に当接することで該ガイドレールをガイドローラ７２ｂとの間に挟み込むガイドローラ７３ｂとからなる枠側ガイド機構７４ｂで本発明に係る第１の枠側ガイド機構を構成してもかまわない。
【００７３】
かかる構成においては、窓本体４を直接手で持って動かす必要があるが、その動きは、上述した実施形態と同様に案内されるため、従来の引違い窓や開き窓あるいは滑り出し窓とは全く異なる開閉メカニズムで、窓本体４を開口枠３に収められた収容位置と開口枠３から退避された開放位置との間で確実に移動させることが可能となる。
【００７４】
また、本実施形態では、互いに上下対称構造をなす下部ガイド機構５ａ及び上部ガイド機構５ｂでガイド機構５を構成するようにしたが、例えば下部ガイド機構を下部ガイド機構５ａで構成し、上部ガイド機構を、図７に示した変形例に係る下部ガイド機構を上下反転させたもので構成するようにしてもかまわない。
【００７５】
かかる変形例によれば、下部ガイド機構は、送出し作用及び引込み作用を兼ね備えた構成、上部ガイド機構は、案内作用だけを備えた構成となる。
【００７６】
また、本実施形態では、第１の枠側ガイド機構を歯車であるピニオン２２ａとガイドローラ２３ａとで構成するとともに第１の窓側ガイド部材をガイドレール７ａで構成し、該ガイドレールをピニオン２２ａ及びガイドローラ２３ａで挟み込むことで、ガイドレール７ａに沿った案内を行うようにしたが、これに代えてガイド溝に沿った案内が行われるように構成する、すなわち、第１の枠側ガイド機構をガイドピンで構成するとともに該ガイドピンが挿入されるガイド溝が形成されたガイドプレートで第１の窓側ガイド部材を構成するようにしてもかまわない。
【００７７】
なお、この変形例においては、第１の枠側ガイド機構に送出し作用及び引込み作用を備えることができないため、開閉窓の操作は、窓本体を直接手で持って行うこととなる。
【００７８】
また、本実施形態では、ガイド溝９ａにガイドピン８ａを徐々に前進方向に案内する溝部３１を含めたが、窓本体４を斜め横行動作させる際、面格子との距離が大きい、あるいは面格子を設けない等の事情で、外壁に対する窓本体４の角度が徐々に深くなってもかまわないのであれば、溝部３１を外壁に対して平行に形成してもかまわない。
【００７９】
また、本実施形態では、ガイドレール７ａに変曲部２９及び拡幅部３５を設けるとともに、ガイド溝９ａに溝部３２及び溝部３３を含めることで、窓本体４を斜め横行動作させた後、該窓本体を屋外側で外壁に対しほぼ平行にし、その平行配置状態でさらに横行させるようにしたが、有効窓面積比をそれほど高める必要がないのであれば、ガイドレール７ａから変曲部２９及び拡幅部３５を省略するとともに、ガイド溝９ａから溝部３２及び溝部３３を省略してもかまわない。
【符号の説明】
【００８０】
１            開閉窓
２            窓開口
３            開口枠
４            窓本体
５            ガイド機構
５ａ          下部ガイド機構
５ｂ          上部ガイド機構
６ａ，６ｂ    枠側ガイド機構（第１の枠側ガイド機構）
７ａ，７ｂ    ガイドレール（第１の窓側ガイド機構）
８ａ，８ｂ    ガイドピン（第２の窓側ガイド機構）
９ａ，９ｂ    ガイド溝
１０ａ          下枠部材
１０ｂ          上枠部材
１１ａ          下方窓枠部材
１１ｂ          上方窓枠部材
１２ａ，１２ｂ  ガイドプレート（第２の枠側ガイド機構）
２１ａ，２１ｂ  ラック（直線歯車）
２２ａ，２２ｂ  ピニオン（歯車）
２３ａ，２３ｂ  ガイドローラ
２６ａ，２６ｂ  ハンドル
３１ａ，３１ｂ  ブラケット（第２の窓側ガイド機構）
【図１】
2013028961.tif 000003
【図２】
2013028961.tif 000004
【図３】
2013028961.tif 000005
【図４】
2013028961.tif 000006
【図５】
2013028961.tif 000007
【図６】
2013028961.tif 000008
【図７】
2013028961.tif 000009